(57)【要約】【課題】イカを寄せ付ける自然な動きが得られ、イカが違和感なく長い時間にわたって抱き続けることができるとともに、一定の強度を確保できる餌木を提供する。【解決手段】本発明の餌木１は、釣糸接続部３を伴う頭部側硬質部分１０と、釣り針５を伴う尾部側硬質部分１５と、頭部側硬質部分１０と尾部側硬質部分１５との間で露出して設けられ、硬質部分１０，１５よりも柔軟な材料によって形成される軟質部分２５とから成り、釣糸接続部３および釣り針５を除く餌木本体２の全長をＬ、軟質部分２５全体の長さをＸとしたときに、Ｌ×１／３≦Ｘ＜Ｌ×４／５が満たされる。【選択図】図１
2013208085.tif 000002
【特許請求の範囲】
【請求項１】
餌の形態を模した餌木であって、
釣糸接続部を伴う頭部側硬質部分と、釣り針を伴う尾部側硬質部分と、前記頭部側硬質部分と前記尾部側硬質部分との間で露出して設けられ、前記硬質部分よりも柔軟な材料によって形成される軟質部分とから成り、
前記釣糸接続部および前記釣り針を除く餌木本体の全長をＬ、前記軟質部分全体の長さをＸとしたときに、Ｌ×１／３≦Ｘ＜Ｌ×４／５が満たされることを特徴とする餌木。
【請求項２】
前記頭部側硬質部分と前記尾部側硬質部分との間にわたって延びる補強部材を更に備え、該補強部材の周囲に前記軟質部分が設けられることを特徴とする請求項１に記載の餌木。
【請求項３】
前記頭部側硬質部分と前記尾部側硬質部分とを一体に連結して成る連結部を有し、該連結部の周囲に前記軟質部分が設けられることを特徴とする請求項１に記載の餌木。
【請求項４】
前記頭部側部分と前記尾部側部分との間にわたって前記連結部を貫通して延びる補強部材を更に備えることを特徴とする請求項３に記載の餌木。
【請求項５】
前記軟質部分は、少なくとも２つの別個の部材として前記頭部側硬質部分と前記尾部側硬質部分との間に配列されることを特徴とする請求項１ないし請求項４のいずれか１項に記載の餌木。
【発明の詳細な説明】
【技術分野】
【０００１】
本発明は、イカ釣りで疑似餌として用いられる餌木に関する。
【背景技術】
【０００２】
従来、魚釣りに用いられる疑似餌としては様々な形態のものがあるが、特にイカ釣りに際しては、「餌木」と称される疑似餌を用いることが知られている。通常、餌木は、小魚や海老等に似せた胴部（本体）と、胴部の前方側の下部に突出するように取り付けられた錘と、胴部前端に設けられた釣糸接続環（アイ部とも称する）と、胴部の後端に設けられ、先端を前方に向けた釣り針とを有している。このように構成される餌木は、釣糸接続環に釣糸を取り付けて、ルアーキャスティングと同様、ポイントに投げ込んでリールで釣糸を巻く際に、釣竿を煽ることでアクションを与えると、イカが餌木の動きに誘われて餌木に抱きつく。そして、餌木に抱きついたイカは、胴部後端に設けられた釣り針に掛かって釣り上げることが可能となる。
【０００３】
ところで、このような餌木を用いたイカ釣りでは、餌木の自然な動きと、餌木に抱きついたイカが餌木を直ぐに離さないようにする工夫とが求められる。従来のルアーを含む疑似餌全体を眺めてみると、そうした疑似餌の動きや形態に様々な特徴を持たせるものが数多く提案されているが、疑似餌全体が硬質材料で一体形成されているものも多い。こうした一体成形型の硬質な疑似餌では、屈曲動作が得られないため、自然な動きを醸し出すことが難しい。そのため、例えば特許文献１および特許文献２に開示されるように、疑似餌本体部の少なくとも一部に軟質部材を採用して、実際の魚に近い動きや感触等が得られるようにする疑似餌（ルアー）も提案されている。
【先行技術文献】
【特許文献】
【０００４】
【特許文献１】特開平１０−２４８４３９号
【特許文献２】特開２００２−１３６２４７号
【発明の概要】
【発明が解決しようとする課題】
【０００５】
しかしながら、前述した特許文献の疑似餌と同様に餌木に軟質部分を設けたからといって、その設ける場所や設ける範囲によっては、イカが違和感なく長い時間にわたって餌木を抱き続けるとは限らない。また、軟質部分は硬質部分に比べて脆弱であるため、餌木全体としてイカの乗りに耐え得るだけの強度を確保するためには、餌木全体に対する軟質部分の割合も考慮に入れる必要がある。
【０００６】
こうした観点から見ると、特許文献１に開示される疑似餌は、全長にわたって軟質部分と硬質部分とを長手方向にほぼ交互に配列した形態であり、イカが抱き付いた際に違和感を抱く虞があるとともに、大きな外力が加わると脆弱な軟質部分がちぎれる虞がある。また、特許文献２に開示されるルアーは、頭部以外の全てを軟質部分としており、全体としてイカの乗りに耐え得るだけの強度を確保し難い（脆弱な軟質部分がちぎれる虞がある）。
【０００７】
自然な動きを実現しつつイカが違和感なく長い時間にわたって抱き続けることができる一方で一定の強度も求められるイカ釣り用の餌木においては、これらの特許文献の構成をそのまま適用することはできず、餌木特有の改良が望まれる。
【０００８】
本発明は、上記した問題に着目してなされたものであり、イカを寄せ付ける自然な動きが得られ、イカが違和感なく長い時間にわたって抱き続けることができるとともに、一定の強度を確保できる餌木を提供することを目的とする。
【課題を解決するための手段】
【０００９】
上記した目的を達成するために、本発明は、餌の形態を模した餌木であって、釣糸接続部を伴う頭部側硬質部分と、釣り針を伴う尾部側硬質部分と、前記頭部側硬質部分と前記尾部側硬質部分との間で露出して設けられ、前記硬質部分よりも柔軟な材料によって形成される軟質部分とから成り、前記釣糸接続部および前記釣り針を除く餌木本体の全長をＬ、前記軟質部分全体の長さをＸとしたときに、Ｌ×１／３≦Ｘ＜Ｌ×４／５が満たされることを特徴とする。
【００１０】
上記構成によれば、頭部側硬質部分と尾部側硬質部分との間、すなわち、イカが抱きつく主要部分に、軟質部分を露出して設けるとともに、前記釣糸接続部および前記釣り針を除く餌木本体の全長をＬ、前記軟質部分全体の長さをＸとしたときに、Ｌ×１／３≦Ｘが満たされるようにしたため、すなわち、一定量以上の軟質部分を設けたため、イカを寄せ付ける自然な動きが得られるとともに、イカが違和感なく長い時間にわたって抱き続けることができる餌木を提供できる。また、Ｘ＜Ｌ×４／５が満たされるように設定されているため、すなわち、軟質部分を設ける量を一定限度内に抑えたため、イカ釣りに適した一定の強度（餌木全体としてイカの乗りに耐え得るだけの強度）を確保できる。
【００１１】
なお、上記構成において、「軟質部分全体の長さ」は、餌木の最大高さ寸法（餌木の最上端と最下端との間の長さ）の１／２の高さに位置する（高さ方向の）中点を通る餌木本体の長手方向中心線に沿う長さとして規定される。また、上記構成では、頭部側硬質部分と尾部側硬質部分との間に軟質部分が複数存在してもよく、その場合には、各軟質部分の長さ（前記長手方向中心線に沿う長さ）の総和がＸとなる。また、頭部側硬質部分と尾部側硬質部分との間に軟質部分が複数存在する場合には、軟質部分間に硬質部分が介在することを妨げない。
【００１２】
また、上記構成では、イカ釣りに適した一定の強度を確保できるように、頭部側硬質部分と尾部側硬質部分との間にわたって延びる補強部材を更に備え、該補強部材の周囲に軟質部分が設けられることが好ましい。また、前記頭部側硬質部分と前記尾部側硬質部分とを一体に連結して成る連結部を有し、該連結部の周囲に前記軟質部分が設けられてもよい。この場合にも、イカ釣りに適した一定の強度が得られる。更に、頭部側硬質部分と尾部側硬質部分との間にわたって連結部を貫通して延びる補強部材を更に備えてもよい。これにより、強度が更に向上する。
【発明の効果】
【００１３】
本発明によれば、頭部側硬質部分と尾部側硬質部分との間、すなわち、イカが抱きつく主要部分に、軟質部分を露出して設けるとともに、前記釣糸接続部および前記釣り針を除く餌木本体の全長をＬ、前記軟質部分全体の長さをＸとしたときに、Ｌ×１／３≦Ｘ＜Ｌ×４／５が満たされるようにしたため、イカを寄せ付ける自然な動きが得られ、イカが違和感なく長い時間にわたって抱き続けることができるとともに、一定の強度を確保できる餌木を提供できる。
【図面の簡単な説明】
【００１４】
【図１】本発明の第１の実施形態に係る餌木の全体側面図である。
【図２】本発明の作用効果を実証する実験データを示す図である。
【図３】本発明の第２の実施形態に係る餌木の全体側面図である。
【図４】本発明の第３の実施形態に係る餌木の全体断面図である。
【図５】図４の餌木の全体側面図である。
【図６】本発明の第４の実施形態に係る餌木の全体側面図である。
【図７】本発明の第５の実施形態に係る餌木の全体側面図である。
【発明を実施するための形態】
【００１５】
以下、図面を参照して、本発明の餌木の実施形態について具体的に説明する。  
図１は、本発明の第１の実施形態に係る餌木１の全体側面図を示している。図示のように、本実施形態に係る餌木１は、イカ釣りに適した構造を成しており、前後方向に長く小魚や海老等の生き物（餌）の形態を模して構成された浮力を有する餌木本体（本体部）２から成る。餌木本体２の前端部（先端部）下面には錘４が設けられている。また、餌木本体２の前端（先端）には、釣糸が連結できるように、金属等によって形成されたリング状のアイ部（釣糸接続部）３が設けられており、後端には、先端が前方を向いた複数の釣り針５が設けられている。また、餌木本体２には、必要に応じて目６やひれ部材等が設けられる。
【００１６】
また、本実施形態において、餌木本体２は、アイ部３および錘４を伴う頭部側硬質部分１０と、釣り針５を伴う尾部側硬質部分１５と、頭部側硬質部分１０と尾部側硬質部分１５との間で露出して設けられ、硬質部分１０，１５よりも柔軟な材料によって形成される軟質部分２５とから成る。
【００１７】
なお、頭部側硬質部分１０および尾部側硬質部分１５を形成する硬質材料としては、例えば、ポリエチレン、ポリウレタン、ポリエチレンまたはポリウレタンの発泡材などが挙げられる。また、軟質部分２５を形成する軟質材料としては、例えば、ポリウレタン、エラストマー、塩化ビニル、シリコン、剛性ゴムなど、前記硬質材料よりも柔軟な材料が挙げられる。また、頭部側硬質部分１０と尾部側硬質部分１５との間に軟質部分２５を設ける方法としては、例えば、頭部側硬質部分１０と尾部側硬質部分１５とを金型内に離間して配置して、この金型内に軟質材料を流し込むことにより、軟質材料が頭部側硬質部分１０と尾部側硬質部分１５とを接続するように軟質材料を頭部側硬質部分１０と尾部側硬質部分１５との間に充填する方法が考えられる。なお、本実施形態において、軟質部分２５と頭部側硬質部分１０および尾部側硬質部分１５との間の接合部には段差がなく、軟質部分２５の外面と頭部側硬質部分１０および尾部側硬質部分１５の外面とは略面一である。そのため（段差がないため）、水の抵抗を受けることがなく、前記接合部が水中での餌木１の動きに影響を及ぼすことはない。
【００１８】
また、本実施形態では、アイ部３および釣り針５を除く餌木本体２の全長をＬ、軟質部分２５の全体の長さをＸとしたときに、Ｌ×１／３≦Ｘ＜Ｌ×４／５が満たされるようになっている。ここで、軟質部分２５の全体の長さとは、餌木１の最大高さ寸法Ｈ（餌木の最上端４８と最下端４９との間の長さ）の１／２の高さに位置する（高さ方向の）中点Ｐを通る餌木本体２の長手方向中心線Ｏに沿う長さのことである。
【００１９】
このように、本実施形態の餌木１によれば、頭部側硬質部分１０と尾部側硬質部分１５との間、すなわち、イカが抱きつく主要部分に、軟質部分２５を露出して設けるとともに、アイ部３および釣り針５を除く餌木本体２の全長をＬ、軟質部分２５の全体の長さをＸとしたときに、Ｌ×１／３≦Ｘが満たされるようにしたため、すなわち、一定量以上の軟質部分２５を設けたため、イカを寄せ付ける自然な動きが得られるとともに、イカが違和感なく長い時間にわたって抱き続けることができる餌木を提供できる。また、本実施形態では、Ｘ＜Ｌ×４／５が満たされるように設定されているため、すなわち、軟質部分２５を設ける量を一定限度内に抑えたため、イカ釣りに適した一定の強度（餌木全体としてイカの乗りに耐え得るだけの強度）を確保できる。
【００２０】
図２には、本実施形態のこのような作用効果を実証する実験データが示されている。この実験は、Ｘ＜Ｌ×１／５、Ｌ×１／５≦Ｘ＜Ｌ×１／４、Ｌ×１／４≦Ｘ＜Ｌ×１／３、Ｌ×１／３≦Ｘ＜Ｌ×４／５のそれぞれの場合において、イカが餌木１に抱きついている時間を２０匹のイカについて計測したものである。この実験データから分かるように、Ｘ＜Ｌ×１／５の場合には、イカ全体の３／４が最大で５秒しか餌木１に抱きついていなかった。また、Ｌ×１／５≦Ｘ＜Ｌ×１／４の場合には、１１〜１５秒の長い時間にわたって餌木１に抱きついていたイカが３匹存在したものの、全体の半分を超えるイカが最大で５秒しか餌木１に抱きついていなかった。また、Ｌ×１／４≦Ｘ＜Ｌ×１／３の場合においても、６〜１０秒の比較的長い時間にわたって餌木１に抱きついていたイカが７匹存在したものの、全体の半分を超えるイカが最大で５秒しか餌木１に抱きついていなかった。これに対し、Ｌ×１／３≦Ｘ＜Ｌ×４／５の場合には、全体の半分近いイカが１１〜１５秒の長い時間にわたって餌木１に抱きつき、２０匹中１６匹のイカが６秒〜１５秒の間にわたって餌木１に抱きついていた。なお、Ｘ≧Ｌ×４／５のケースでは、場合により軟質部分２５でちぎれることが懸念された。
【００２１】
この実験データから分かるように、アイ部３および釣り針５を除く餌木本体２の全長をＬ、軟質部分２５の全体の長さをＸとしたときに、Ｌ×１／３≦Ｘ＜Ｌ×４／５が満たされるようになっていれば、イカが違和感なく長い時間にわたって抱き続けることができるとともに、一定の強度を確保できる餌木を提供できる。
【００２２】
図３は本発明の第２の実施形態を示している。図示のように、本実施形態の餌木１Ａにおいて、餌木本体２は、アイ部３および錘４を伴う頭部側硬質部分１０と、釣り針５を伴う尾部側硬質部分１５と、頭部側硬質部分１０と尾部側硬質部分１５とを連結する連結部１３（硬質部分１０，１５と同一材料から成る）とを有する硬質材料から成る一体成形品であり、餌木本体２よりも柔軟な材料によって形成される軟質部分２５が頭部側硬質部分１０と尾部側硬質部分１５との間で餌木本体２に露出して設けられている。
【００２３】
また、頭部側硬質部分１０と尾部側硬質部分１５との間にわたって補強部材２０が延びている。本実施形態では、補強部材２０が頭部側硬質部分１０と尾部側硬質部分１５との間にわたって連結部１３を貫通して延びている。この場合、補強部材２０は、金属製ワイヤや形状記憶ワイヤなどの線材により形成されており、その一端が頭部側硬質部分１０の連結部１０ａに結合されるとともに、その他端が尾部側硬質部分１５の連結部１５ａに結合される。そして、本実施形態では、補強部材２０の周囲に、したがって、連結部１３の周囲に、前記軟質部分２５が設けられる。
【００２４】
なお、本実施形態においても、アイ部３および釣り針５を除く餌木本体２の全長をＬ、軟質部分２５の全体の長さをＸとしたときに、Ｌ×１／３≦Ｘ＜Ｌ×４／５が満たされるようになっている。
【００２５】
したがって、本実施形態においても、第１の実施形態と同様の作用効果が得られるとともに、  頭部側硬質部分１０と尾部側硬質部分１５とが一体化されて成る餌木本体２自体に軟質部分２５が設けられているため、イカ釣りに適した十分な強度を確保できる。また、本実施形態では、頭部側硬質部分１０と尾部側硬質部分１５とを連結する連結部１３の周囲に軟質部分２５が設けられ、しかも、連結部１３を貫通して延びる補強部材２０が更に設けられているため、更なる強度向上を図ることができる。
【００２６】
図４および図５は、本発明の第３の実施形態に係る餌木１Ｂを示している。図示のように、本実施形態の餌木１Ｂでは、３つの環状の軟質部分２５Ａ，２５Ｂ，２５Ｃが連結部１３の周囲で餌木本体２の長手方向に沿って所定の間隔を隔てて配列して設けられている。言い換えると、頭部側硬質部分１０と尾部側硬質部分１５との間の餌木本体２の部位に環状の３つの溝が所定間隔を隔てて形成され、これらの各溝に環状の軟質部分２５Ａ，２５Ｂ，２５Ｃが配設されている（したがって、各軟質部分２５Ａ，２５Ｂ，２５Ｃ間に硬質部分が介在している）。そして、前記環状の溝の存在により餌木本体２の中心部に連結部１３が形成され、この連結部１３を貫くように補強部材２０が頭部側硬質部分１０と尾部側硬質部分１５との間で延びている。また、本実施形態において、３つの環状の軟質部分２５Ａ，２５Ｂ，２５Ｃを形成する材料は、互いに同じであってもよく或いは異なっていてもよい。軟質部分２５Ａ，２５Ｂ，２５Ｃを形成する材料が互いに異なる場合には、例えば軟質部分２５Ａ，２５Ｂ，２５Ｃを形成する材料の硬度を互いに異ならせてもよい。その場合、後側の第２の軟質部分２５Ｂ（または、第３の軟質部分２５Ｃ）の硬度を前側の第１の軟質部分２５Ａ（または、第２の軟質部分２５Ｂ）の硬度よりも柔らかくすることにより、尾部側が屈曲し易くなり、より魚の動きに似せることができる。
【００２７】
また、本実施形態においても、アイ部３および釣り針５を除く餌木本体２の全長をＬ、軟質部分２５Ａ，２５Ｂ，２５Ｃの全体の長さをＸとしたときに、Ｌ×１／３≦Ｘ＜Ｌ×４／５が満たされるようになっている。この場合、各軟質部分２５Ａ，２５Ｂ，２５Ｃの長さＸ１，Ｘ２，Ｘ３（長手方向中心線Ｏに沿う長さ）の総和がＸとなる。なお、それ以外の構成は第２の実施形態と同一であり、したがって、第２の実施形態と同様の作用効果を得ることができる。
【００２８】
図６は、本発明の第４の実施形態に係る餌木１Ｃの全体側面図を示している。図示のように、本実施形態の餌木１Ｃは、頭部側硬質部分１０と尾部側硬質部分１５とを連結する連結部が２つの連結部材２０Ａ，２０Ｂから成る。これらの連結部材２０Ａ，２０Ｂは、それぞれのリング状の結合部１９，１９を介して互いに連結される。なお、それ以外の構成は第２の実施形態と同一（したがって、Ｌ×１／３≦Ｘ＜Ｌ×４／５が満たされている）であり、したがって、第２の実施形態と同様の作用効果を得ることができる。
【００２９】
図７は本発明の第５の実施形態を示している。図示のように、本実施形態に係る餌木１Ｄは、各構成部品を組み立てることによって形成される。具体的には、餌木本体２は、アイ部３および錘４を有する硬質な頭部側硬質部分１０と、釣り針５を有する尾部側硬質部分１５と、頭部側硬質部分１０と尾部側硬質部分１５との間で長手方向（前後方向）に配列される２つの別個の軟質部分２５Ａ’，２５Ｂ’とから成る。第１の軟質部分２５Ａ’を形成する材料は、第２の軟質部分２５Ｂ’を形成する材料と同じであってもよく或いは異なっていてもよい。第１および第２の軟質部分２５Ａ’，２５Ｂ’を形成する材料が互いに異なる場合には、例えば第１の軟質部分２５Ａ’を形成する材料の硬度と第２の軟質部分２５Ｂ’を形成する材料の硬度とを異ならせてもよい。その場合、後側の第２の軟質部分２５Ｂ’の硬度を前側の第１の軟質部分２５Ａ’の硬度よりも柔らかくすることにより、尾部側が屈曲し易くなり、より魚の動きに似せることができる。また、本実施形態では、軟質部分の数が３つ以上であっても構わない。また、軟質部分の配列方向は、長手方向に限らず、幅方向、高さ方向であってもよい。また、頭部側硬質部分１０と尾部側硬質部分１５とを連結する補強部材２０は、第２の実施形態と同様に線材から成り、頭部側硬質部分１０および尾部側硬質部分１５のネジ穴に螺合されるネジ３０によって頭部側硬質部分１０および尾部側硬質部分１５に取り付けられる。
【００３０】
また、本実施形態においても、アイ部３および釣り針５を除く餌木本体２の全長をＬ、軟質部分２５Ａ’，２５Ｂ’の全体の長さをＸとしたときに、Ｌ×１／３≦Ｘ＜Ｌ×４／５が満たされるようになっている。この場合、各軟質部分２５Ａ’，２５Ｂ’の長さＸ１，Ｘ２の総和がＸとなる。なお、それ以外の構成は第２の実施形態と同一であり、したがって、第２の実施形態と同様の作用効果を得ることができる。
【００３１】
以上、本発明の実施形態について説明したが、本発明は、前述した実施形態に限定されず、その要旨を逸脱しない範囲で種々変形して実施できる。例えば、軟質部分は、任意の数（１つまたは３つに限らない）の別個の部分から成ってもよく、また、頭部側硬質部分１０と尾部側硬質部分１５との間で任意の形態および配列を成していてもよい。また、図５の構成を図３に適用することも可能である。
【符号の説明】
【００３２】
１  餌木
２  本体部
３  アイ部（釣糸接続部）
５  釣り針
１０  頭部側硬質部分
１３  連結部
１５  尾部側硬質部分
２０  補強部材
２５，２５Ａ，２５Ｂ，２５Ｃ  軟質部分
【図１】
2013208085.tif 000003
【図２】
2013208085.tif 000004
【図３】
2013208085.tif 000005
【図４】
2013208085.tif 000006
【図５】
2013208085.tif 000007
【図６】
2013208085.tif 000008
【図７】
2013208085.tif 000009